(57)【要約】【課題】電力供給停止中の各デバイスに対して、問題なく、できるだけ早く電力供給を順番に行い、各デバイスの起動や初期化での待ち時間を減らし、又、正しい順番で各デバイスを停止させる。【解決手段】画像形成装置は、複数のデバイスと、時間を計るタイマーと、省電力モード移行条件が満たされると各デバイスへの電力供給を停止し、解除条件が満たされると各デバイスへの電力供給を行う電源管理部と、解除条件が満たされたことを示す検知信号を受信する信号受信部と、を含み、電源管理部は、解除条件が満たされると、タイマーの計時に基づき予め定められた間隔、かつ、予め定められた順序で、各デバイスの電力供給を行い、省電力モード移行条件が満たされると、タイマーの計時に基づき予め定められた間隔、かつ、予め定められた順序で、各デバイスへの電力供給を停止する【選択図】図５
2015140003.tif 000002
【特許請求の範囲】
【請求項１】
画像形成装置の一部を構成し、処理を実行する複数のデバイスと、
時間を計るタイマーと、
各前記デバイスへの電力供給と停止を制御し、省電力モード移行条件が満たされると各前記デバイスへの電力供給を停止し、解除条件が満たされると各前記デバイスへの電力供給を行う電源管理部と、
前記解除条件が満たされたことを示す検知信号を受信する信号受信部と、を含み、
前記電源管理部は、前記解除条件が満たされると、前記タイマーの計時に基づき予め定められた間隔、かつ、予め定められた順序で、各前記デバイスの電力供給を行い、前記省電力モード移行条件が満たされると、前記タイマーの計時に基づき予め定められた間隔、かつ、予め定められた順序で、各前記デバイスへの電力供給を停止することを特徴とする画像形成装置。
【請求項２】
前記電源管理部から各前記デバイスへのリセット信号を伝達するためのリセット信号線が設けられ、
前記電源管理部は、各前記デバイスへの電力供給開始に伴い、前記タイマーの計時に基づき予め定められた間隔、かつ、予め定められた順序で各前記デバイスにリセットを行わせることを特徴とする請求項１記載の画像形成装置。
【請求項３】
電力供給を行うときの間隔と順序、及び、電力供給を停止するときの間隔と順序を示すデータを含むテーブルを記憶するメモリーを有し、
前記電源管理部は、前記解除条件が満たされると、前記テーブルに基づき、順番に各前記デバイスの電力供給を行い、前記省電力モード移行条件が満たされると、前記テーブルに基づき、順番に各前記デバイスへの電力供給を停止することを特徴とする請求項１又は２に記載の画像形成装置。
【請求項４】
前記テーブルは、各前記デバイスのリセットを行う間隔及び順番を示すデータを含み、
前記電源管理部は、前記テーブルに基づき、各前記デバイスのリセットを行うことを特徴とする請求項３に記載の画像形成装置。
【請求項５】
前記テーブルを設定するための設定入力部を含み、
前記メモリーは、前記設定入力部によって設定された前記テーブルを記憶することを特徴とする請求項３又は４に記載の画像形成装置。
【請求項６】
前記デバイスは、画像データを処理する画像処理部、原稿を読み取る読取部、印刷を行う印刷エンジン部のうちいずれか１つ、又は、複数を含むことを特徴とする請求項１乃至５の何れか１項に記載の画像形成装置。
【発明の詳細な説明】
【技術分野】
【０００１】
本発明は、画像形成装置を構成する部分への電力供給に関する。
【背景技術】
【０００２】
回路、基板などを含むデバイスが１つの装置内に複数設けられることがある。そして、全体としての正常な起動や、電源の容量や、電力が供給されていない回路等への不要な電流の流込防止等、様々な要因を考慮し、複数の回路等の電力供給順序が予め定められていることがある。
【０００３】
例えば、特許文献１には、複数の電源回路の起動順序を制御する電源制御装置が記載されている。具体的に、特許文献１には、起動トリガ信号を出力するトリガ信号出力回路と、トリガ信号を受けて、各電源回路を所定のシーケンスに従って起動するように制御信号を出力する制御信号出力回路とを備え、トリガ信号出力回路が出力するトリガ信号は、二値レベルの何れか一方でアクティブを示す１つ以上のレベル信号と、二値レベルの特定の変化パターンを示す１つ以上のパターン信号であり、制御信号出力回路は、各電源回路に対して制御信号を出力する条件の一部を、レベル信号とパターン信号との組合せで設定して、複数の電源回路の起動順序を制御する電源制御装置が記載されている。この構成により、複数の電源回路について行う起動順序の制御を、より確実な条件で進行させようとする（特許文献１：請求項１、段落［０００５］等参照）。
【先行技術文献】
【特許文献】
【０００４】
【特許文献１】特開２００９−０６０６９０号公報
【発明の概要】
【発明が解決しようとする課題】
【０００５】
画像形成装置では、トナーの定着部材の温度維持や各種制御部への電力供給等により、未使用状態（待機状態）でもある程度の電力消費がある。そこで、一般に、画像形成装置は、高い省電力効果を得るための省電力モードを有する。そして、省電力モードでは、画像形成装置に含まれる回路や基板を含む１又は複数のデバイスへの電力供給を停止することがある。
【０００６】
しかし、画像形成装置内の各デバイスへの電力供給停止により、画像形成装置の機能（例えば、印刷機能）を利用できなくなる。そして、省電力モードを解除し、画像形成装置を利用できる状態（通常モード）に復帰するとき、電力供給停止部分への電力供給を再開する必要がある。この通常モードへの復帰では、予め定められた順序を守り、迅速、正確に各デバイスへの電力供給を再開すべきという問題がある。言い換えると、電源停止からいかにして的確な手順で早く復帰するか、という問題がある。
【０００７】
例えば、ある電源回路（電力変換回路、例えば、ＤＣ−ＤＣコンバーター）の出力値が大きくなると、次の電源回路を起動させ、電源回路単位で各デバイスへの電力供給を再開することがある（特許文献１参照）。そのため、次の電源回路起動まで、前の順番の電源回路の出力値の上昇と安定を待たなくてはならず、デバイスへの電力供給を順次行っていくうえで、不要な待ち時間があるという問題がある。又、電源回路には、１又は複数のデバイスが接続され、電源回路から電力供給を受ける系統を単位として、各デバイスへの電力供給が再開される。しかし、電源回路を起動させる順番により定まるデバイスへの電力供給順が好適とは限らず、デバイスへの電力供給順を変えるための回路、装置が別途必要となることがあるという問題もある。
【０００８】
また、電力供給開始後、各デバイスの起動（初期化）や通信開始のため、例えば、コンデンサでの充電に要する時間を利用してリセットを指示する信号を出力するリセットＩＣ（リセット回路）を用いて、各デバイスにリセットの指示を与えることがある。このようなリセットＩＣではコンデンサの容量のばらつきを考慮し、リセットを指示する信号を発するまでの時間にマージンを持たせる必要がある。そのため、最短の時間で各デバイスにリセットの指示を与えることができず、各デバイスの起動（初期化）や通信開始に不要な待ち時間があるという問題もある。
【０００９】
尚、電力供給を停止するとき、各デバイスに電力供給停止に備えた処理を完了させ、予め定められた順序で各デバイスをＯＦＦしなければ、故障やエラーの原因となることがある。そのため、電力供給を停止するときでも正しい順序で各デバイスを停止させるべきであるという問題がある。
【００１０】
尚、特許文献１記載の発明は、上述のように、次の電源装置の起動まで前の順番の電源装置の出力値の上昇と安定を待たなくてはならず、デバイスへの電力供給を順次行っていくうえで、不要な待ち時間があるという問題を含む。そのため、特許文献１記載の電源制御装置では、各デバイスへの電力供給完了までの時間を最短とできない場合がある。又、特許文献１には、リセット信号や電力供給停止時の順序に関しての言及は無い。従って、特許文献１記載の発明では、上記の問題を解決することはできない。
【００１１】
本発明は、上記問題点を鑑み、画像形成装置を利用できる状態に戻すため、電力供給停止中の各デバイスに対して、問題なく、できるだけ早く電力供給を順番に行い、各デバイスの起動や初期化での待ち時間を減らし、又、正しい順番で各デバイスを停止させることを課題とする。
【課題を解決するための手段】
【００１２】
上記目的を達成するために請求項１に係る画像形成装置は、画像形成装置の一部を構成し、処理を実行する複数のデバイスと、時間を計るタイマーと、各前記デバイスへの電力供給と停止を制御し、省電力モード移行条件が満たされると各前記デバイスへの電力供給を停止し、解除条件が満たされると各前記デバイスへの電力供給を行う電源管理部と、前記解除条件が満たされたことを示す検知信号を受信する信号受信部と、を含み、前記電源管理部は、前記解除条件が満たされると、前記タイマーの計時に基づき予め定められた間隔、かつ、予め定められた順序で各前記デバイスの電力供給を行い、前記省電力モード移行条件が満たされると、前記タイマーの計時に基づき予め定められた間隔、かつ、予め定められた順序で、各前記デバイスへの電力供給を停止することとした。
【００１３】
この構成によれば、電源管理部は、解除条件が満たされると、タイマーの計時に基づき予め定められた間隔、かつ、予め定められた順序で、各デバイスの電力供給を行い、省電力モード移行条件が満たされると、タイマーの計時に基づき予め定められた間隔、かつ、予め定められた順序で、各デバイスへの電力供給を停止する。これにより、正確な順序で各デバイスへの電力供給の開始や停止を行うことができる。また、タイマーの計時結果に基づいて処理がなされるので、予め定められた間隔で時間的なブレがなく、順番に電力供給の開始、停止がなされる。そして、電源回路の出力上昇までの時間のばらつきやコンデンサの容量のばらつきに依存せず、電力供給を開始する間隔にマージンを持たせる必要がないので、電力供給停止中の各デバイスに対して、待ち時間無しに迅速に電力供給を再開することができる。尚、「予め定められた間隔」は、あるデバイスへの電力供給開始を起点として、マージンを持たせず、各デバイスの電力供給開始で問題が生じない最短の時間間隔とすることができる。
【００１４】
又、請求項２に係る発明は、請求項１の発明において、前記電源管理部から各前記デバイスへのリセット信号を伝達するためのリセット信号線が設けられ、前記電源管理部は、各前記デバイスへの電力供給開始に伴い、前記タイマーの計時に基づき予め定められた間隔、かつ、予め定められた順序で各前記デバイスにリセットを行わせることとした。
【００１５】
この構成によれば、電源管理部は、各デバイスへの電力供給開始に伴い、タイマーの計時に基づき予め定められた間隔、かつ、予め定められた順序で各デバイスにリセットを行わせる。これにより、コンデンサを用いたリセットＩＣ（リセット回路）ではなく、タイマーの計時に基づき各デバイスのリセットかなされるので、コンデンサの容量のばらつきを考慮してリセットの指示を与える間隔にマージンを持たせる必要が無い。従って、待ち時間を設けず、最短の時間で、各デバイスにリセットの指示を与え、起動（初期化）や通信開始を開始させることができる。尚、「予め定められた間隔」は、各デバイスの電力供給開始との兼ね合いを考慮しつつ、マージンを持たせず、例えば、あるデバイスへの電力供給開始や、あるデバイスへのリセット指示を起点として、リセット指示を与えても問題が生じない最短の時間間隔とすることができる。
【００１６】
又、請求項３に係る発明は、請求項１又は２の発明において、電力供給を行うときの間隔と順序、及び、電力供給を停止するときの間隔と順序を示すデータを含むテーブルを記憶するメモリーを有し、前記電源管理部は、前記解除条件が満たされると、前記テーブルに基づき、順番に各前記デバイスの電力供給を行い、前記省電力モード移行条件が満たされると、前記テーブルに基づき、順番に各前記デバイスへの電力供給を停止することとした。
【００１７】
この構成によれば、電源管理部は、解除条件が満たされると、テーブルに基づき、順番に各デバイスの電力供給を行い、省電力モード移行条件が満たされると、テーブルに基づき、順番に各デバイスへの電力供給を停止する。これにより、テーブルを用いて、各デバイスに対する電力供給開始や停止の順番や間隔を設定することができる。従って、簡易、柔軟に、各デバイスに対する電力供給開始と停止のシーケンスを定めることができる。
【００１８】
又、請求項４に係る発明は、請求項３の発明において、前記テーブルは、各前記デバイスのリセットを行う間隔及び順番を示すデータを含み、前記電源管理部は、前記テーブルに基づき、各前記デバイスのリセットを行うこととした。
【００１９】
この構成によれば、電源管理部はテーブルに基づき、各デバイスのリセットを行う。これにより、テーブルを用いて、各デバイスに対する電力供給開始に伴うリセット指示の順番や間隔を設定することができる。従って、簡易、柔軟に、電力供給開始に伴う各デバイスのリセットや初期化のシーケンスを定めることができる。
【００２０】
又、請求項５に係る発明は、請求項３又は４の発明において、前記テーブルを設定するための設定入力部を含み、前記メモリーは、前記設定入力部によって設定された前記テーブルを記憶することとした。
【００２１】
この構成によれば、メモリーは、設定入力部によって設定されたテーブルを記憶する。これにより、各デバイスに対する電力供給開始や停止の順番や間隔など、各デバイスへの電力供給や停止におけるシーケンスの設定変更や最適化を、所望する時に行うことができる。従って、各デバイスへの電力供給や停止におけるシーケンスの設定での柔軟性、自由度を高めることができる。
【００２２】
又、請求項６に係る発明は、請求項１乃至５の発明において、前記デバイスは、画像データを処理する画像処理部、原稿を読み取る読取部、印刷を行う印刷エンジン部のうちいずれか１つ、又は、複数を含むこととした。
【００２３】
この構成によれば、デバイスは、画像データを処理する画像処理部、原稿を読み取る画像読取部、印刷を行う印刷エンジン部のうちいずれか１つ、又は、複数を含む。これにより、画像形成装置を構成する各部分の起動に要する時間の最短化を図ることができる。又、好適、正確な順序、間隔で各部分に対する電力供給が停止させることができ、問題なく画像形成装置を低消費電力の状態に移行させることができる。
【発明の効果】
【００２４】
本発明によれば、画像形成装置を利用できる状態とするために、電力供給停止中の各デバイスに対して、問題なく、できるだけ早く電力供給を順番に行える。又、各デバイスの起動や初期化での待ち時間も減らすことができる。又、正しい手順で各デバイスへの電力供給を停止させることができる。
【図面の簡単な説明】
【００２５】
【図１】複合機の一例を示す模型的正面断面図である。
【図２】複合機のハードウェア構成の一例を示すブロック図である。
【図３】電力供給系統の一例を示すブロック図である。
【図４】操作検知部を説明するためのブロック図である。
【図５】電源管理部による各デバイスへの電源供給開始の順序と間隔の制御を説明するためのブロック図である。
【図６】電源供給開始に用いるテーブルの内容の一例を示す説明図である。
【図７】電力供給とリセット指示の一例を示すタイミングチャートである。
【図８】電力供給とリセット指示の一例を示すタイミングチャートである。
【図９】各デバイスへの電源供給開始の制御の流れの一例を示すフローチャートである。
【図１０】各デバイスへの電力供給停止の一例を示すタイミングチャートである。
【図１１】省電力モードへの移行時の各デバイスへの電源供給停止の制御の流れの一例を示すフローチャートである。
【図１２】テーブルの変更の流れを説明するためのフローチャートである。
【発明を実施するための形態】
【００２６】
以下、本発明の実施形態を図１〜図１１を用いて説明する。尚、本実施形態の説明では、複合機１００（画像形成装置に相当）を例に挙げる。但し、本実施の形態に記載される構成、配置等の各要素は発明の範囲を限定するものではなく単なる説明例にすぎない。
【００２７】
（複合機１００の概略構成）
まず、図１に基づき、実施形態に係る複合機１００の概略を説明する。図１は、複合機１００の一例を示す模型的正面断面図である。
【００２８】
本実施形態の複合機１００は、上部に、原稿搬送部１ａと画像読取部１ｂを含む読取部１を有する。原稿搬送部１ａは、原稿トレイ１２に積載された原稿を１枚ずつ画像読取部１ｂの読取位置（送り読取用コンタクトガラス１６）に搬送する。原稿トレイ１２には、コピーやスキャンを行う原稿が複数載置される。尚、原稿トレイ１２には、原稿が載置されていることを検知するための原稿載置検知センサー１３が設けられる。原稿載置検知センサー１３は、例えば、光センサーであり、原稿載置時と原稿が載置されていないときで出力が変化する。
【００２９】
又、原稿搬送部１ａは、紙面奥側に設けられた支点（不図示）により、上方に持ち上げて開けることができる。そして、原稿搬送部１ａを持ち上げることにより、例えば書籍等の原稿を画像読取部１ｂの上面の載置読取用コンタクトガラス１４に載せることができる。尚、図１に破線で示すように、原稿搬送部１ａが開いているか、閉じられているかを検知するための開閉検知センサー１５が設けられる（画像読取部１ｂ側に設けられても良い）。例えば、開閉検知センサー１５は、原稿搬送部１ａの下面と接するインターロック式のスイッチでもよいし、反射式の光センサーでもよく、開閉状態を検知できればよい。
【００３０】
次に、図１に破線で示すように、正面上方にコピー等の印刷の設定入力を受け付け、各種情報を表示する操作パネル２（設定入力部に相当）が設けられる。図１に破線で示すように、操作パネル２は複合機１００の正面上方に設けられる。そして、操作パネル２は、タッチパネル式の液晶表示部２１を含む。液晶表示部２１は、複合機１００でのエラー等の状態表示を行う他、用紙サイズや、拡大縮小、濃度設定等の複合機１００で実行するジョブの機能設定用のキー、ボタンを含む各種設定用の画面を表示する。タッチパネル等により押されたキーやボタンが、操作パネル２で認識される。
【００３１】
又、操作パネル２には、数字等の入力用のテンキー部２２や、ジョブの実行開始を指示するスタートキー２３等のハードキーが設けられる。又、ハードキーとして、複合機１００の主電源のＯＮ／ＯＦＦを指示するための電源キーや、複合機１００を省電力モードに移行させる指示を行うための節電キーなどが設けられても良い。これら液晶表示部２１や各種ハードキーにより、使用者は、複合機１００の設定を行う。
【００３２】
そして、複合機１００の筐体内に、画像読取部１ｂ、給紙部３ａ、搬送路３ｂ、画像形成部４ａ、定着部４ｂ等が設けられる。
【００３３】
画像読取部１ｂは、原稿を読み取り画像データを生成する。そして、画像読取部１ｂの上面にコンタクトガラス（送り読取用コンタクトガラス１６と載置読取用コンタクトガラス１４の２種）が設けられ、その内部には、水平方向（図１で言えば、左右方向）で移動する移動枠（露光ランプ、ミラー等を具備）、レンズ、イメージセンサー（例えば、ＣＣＤ）等の光学系部材（いずれも不図示）が設けられる。例えば、原稿搬送部１ａで連続的に搬送される原稿を読み取る場合、送り読取用コンタクトガラス１６の下方に移動枠を固定し、原稿の反射光をレンズ、イメージセンサーに導く。又、載置読取用コンタクトガラス１４に載置された原稿を読み取る場合には、移動枠を水平方向に移動させて、原稿の反射光をレンズ、イメージセンサーに導く。
【００３４】
そして、画像読取部１ｂは、これら光学系部材を用い、原稿に光を照射し、その原稿の反射光を受けたイメージセンサーの各画素の出力値をＡ／Ｄ変換し、画像データを生成する。そして、複合機１００は読取られた画像データに基づく印刷（コピー機能）や、得られた画像データの送信等（スキャン機能、ＦＡＸ機能）を行う。
【００３５】
画像形成用の用紙を収容、供給する給紙部３ａとして、２つの給紙カセット３１ａ、３１ｂが、計２つ垂直方向に積まれる。給紙部３ａは、各種（例えば、普通紙、コピー用紙、再生紙等）、各サイズ（例えば、Ａ４、Ａ３、Ｂ４、Ｂ５、レターサイズ等）の用紙を複数（例えば、５００〜１０００枚程度）積載して収容する。
【００３６】
各給紙カセット３１ａ、３１ｂには、回転駆動し、用紙を１枚ずつ搬送路３ｂに送り出す給紙ローラー３２が、それぞれ設けられる。又、各給紙カセット３１は、用紙補給のため挿脱可能である。そして、各給紙カセット３１ａ、３１ｂが、取り付け、取り外しを検知するため、それぞれ挿脱検知センサー３３が設けられる。例えば、挿脱検知センサー３３は、給紙カセット３１ａ、３１ｂの一面と接するインターロック式のスイッチでもよいし、反射式の光センサーでもよく、挿脱の状態を検知できればよい。
【００３７】
次に、搬送路３ｂは、装置内で用紙を搬送する通路である。そして、搬送路３ｂには、用紙搬送時に回転駆動する複数の搬送ローラー対３４（図１では、上流側から３４ａ〜３４ｆの計６つを図示）や、搬送される用紙を画像形成部４ａの手前で待機させ、トナー像形成に合わせて用紙を送り出すレジストローラー対３５等が設けられる。
【００３８】
尚、用紙の詰まりや、メンテナンスのため、本実施形態の複合機１００の正面のカバー（不図示）は、開閉可能である。この正面カバーの開閉検知のため、カバー開閉検知センサー３６が設けられる。カバー開閉検知センサー３６は、正面カバーの一部と接するインターロック式のスイッチでもよいし、光センサーでもよく正面カバーの開閉を検知できればよい。
【００３９】
画像形成部４ａは、画像データに基づき給紙部３ａから給紙された用紙に画像（トナー像）を形成し、搬送される用紙にトナー像を転写する。尚、画像データには、画像読取部１ｂで取得された原稿の画像データや、複合機１００に接続されるコンピューター２００（図２参照）等から送信された画像データが利用される。
【００４０】
そして、画像形成部４ａは、図１中に示す矢印方向に回転駆動可能に支持された感光体ドラム４１や、その周囲に配設された帯電装置４２、露光装置４３、現像装置４４、転写ローラー４５、クリーニング装置４６等を備える。トナー像形成及び転写プロセスを説明すると、感光体ドラム４１は、画像形成部４ａの略中心に設けられ、所定方向に回転駆動する。帯電装置４２は、感光体ドラム４１を所定電位に帯電させる。露光装置４３は、画像データに基づき、レーザ光Ｌを出力し、感光体ドラム４１表面を走査露光して画像データに応じた静電潜像を形成する。
【００４１】
又、現像装置４４は、感光体ドラム４１に形成された静電潜像にトナーを供給して現像する。転写ローラー４５は感光体ドラム４１に圧接し、ニップを形成する。そして、レジストローラー対３５がタイミングを図り用紙をニップに進入させる。用紙とトナー像のニップ進入時、転写ローラー４５には所定の電圧が印加され、用紙に感光体ドラム４１上のトナー像が転写される。クリーニング装置４６は、転写後に感光体ドラム４１に残留するトナー等を除去する。
【００４２】
定着部４ｂは、用紙に転写されたトナー像を定着させる。本実施形態における定着部４ｂは、主として発熱体を内蔵する加熱ローラー４７と加圧ローラー４８で構成される。加熱ローラー４７と加圧ローラー４８は圧接しニップを形成する。そして、用紙が、このニップを通過すると、トナーが溶融・加熱され、トナー像が用紙に定着する。トナー定着後の用紙は排出トレイ３７に排出される。向けて送られる。
【００４３】
（複合機１００のハードウェア構成）
次に、図２に基づき、実施形態に係る複合機１００のハードウェア構成を説明する。図２は、複合機１００のハードウェア構成の一例を示すブロック図である。
【００４４】
図２に示すように、本実施形態の複合機１００は複数のデバイスを組み合わせたものと捉えることができる。以下の説明では、便宜上、主制御部５、読取部１、印刷エンジン部４、操作パネル２、通信部６（設定入力部に相当）などをデバイスの一単位として扱う。そして、各デバイスには、デバイスを制御するための制御部が各種、設けられる。デバイスに対する電力供給の開始に伴い、各デバイス内の制御部や回路、素子に電力が供給され、デバイス内の制御部が起動し、デバイス内の制御部は、初期化、各種ウォームアップを行って、デバイスを利用できる状態とする。
【００４５】
尚、本実施形態の説明では、主制御部５、読取部１、印刷エンジン部４、操作パネル２、通信部６などをデバイスとして扱うが、この捉え方は一例にすぎず、どの部分をデバイスの一単位と捉えるかは、適宜定めることができる。例えば、主制御部５、読取部１、印刷エンジン部４、操作パネル２、通信部６に含まれる部分（例えば、ＣＰＵや各種制御部）を１つのデバイスとして扱い、主制御部５、読取部１、印刷エンジン部４、操作パネル２、通信部６が複数のデバイスからなると捉えることもできる。
【００４６】
まず、主制御部５は、各種素子、回路等を組み合わせ基板として構成される。主制御部５は、複合機１００の動作制御を司る部分である。例えば、主制御部５は、演算や処理を行う部分としてメインＣＰＵ５１や記憶部５２や画像処理部５３や計時部５４などを含む。メインＣＰＵ５１は、主制御部５の演算処理装置であり、記憶部５２に記憶されるデータ、プログラムに基づき、各種処理、演算、制御を行う。記憶部５２は、例えば、不揮発性の記憶装置（フラッシュＲＯＭやＨＤＤ）と、揮発性の記憶装置（例えば、ＲＡＭ）とを組み合わせて構成される。記憶部５２は、ジョブ実行等、各種制御に要するデータ、プログラムや、画像データなどを記憶する。尚、記憶部５２は、主制御部５外に設けられてもよい。
【００４７】
画像処理部５３は、画像読取部１ｂで生成された画像データや、外部から入力された画像データに対し画像処理を施す。例えば、画像処理部５３は、画像処理専用のＡＳＩＣや画像処理メモリーを含む。画像処理後の画像データを、印刷のため露光装置４３に送ることもできるし（コピー機能、プリンタ機能）、記憶部５２に記憶することもできるし（スキャナ機能）、後述の通信部６から外部（コンピューター２００、ＦＡＸ装置３００等）に送信することもできる（スキャナ機能、ＦＡＸ機能）。尚、画像処理部５３は、メインＣＰＵ５１や記憶部５２により機能的に実現されてもよい。又、画像処理部５３が行える画像処理は、拡大・縮小処理や、濃度変更等、多岐にわたるので、公知の画像処理を実行できるとして詳細は割愛する。
【００４８】
計時部５４は、制御に必要な時間を計る回路である。例えば、計時部５４は、省電力モード移行までの時間を計時する。尚、メインＣＰＵ５１の計時機能を用いて、時間を計るようにしても良い。
【００４９】
読取部１（デバイスに相当）は、画像読取部１ｂと原稿搬送部１ａを含む。そして、画像読取部１ｂには、画像読取部１ｂに含まれる部品、回路を制御する読取制御部１０ｂが設けられる。読取制御部１０ｂは、例えば、ＣＰＵや画像読取部１ｂの制御に要するプログラムやデータを含むメモリーを含む基板や回路として設けられる。そして、読取制御部１０ｂは、主制御部５の原稿の読取実行指示を受けると、イメージセンサーやランプ等の制御や生成した画像データの主制御部５等への送信等、画像読取部１ｂを実際に制御する。
【００５０】
又、原稿搬送部１ａでも同様に、原稿搬送部１ａに含まれる部品、回路を制御する原稿搬送制御部１０ａが設けられる。原稿搬送制御部１０ａも、例えば、ＣＰＵや画像読取部１ｂの制御に要するプログラムやデータを含むメモリーを含む基板や回路として設けられる。そして、原稿搬送制御部１０ａは、主制御部５の原稿搬送の実行指示を受けると、各種回転体を制御し、原稿を１枚ずつ読み取り位置に向けて搬送する。
【００５１】
又、複合機１００での印刷に関し、印刷エンジン部４（デバイスに相当）が設けられる。印刷エンジン部４には、上述の給紙部３ａ、搬送路３ｂ、画像形成部４ａ、定着部４ｂ等が含まれる。そして、印刷エンジン部４内には、主制御部５の指示を受け、実際に印刷エンジン部４の動作を制御するエンジン制御部４０が設けられる。エンジン制御部４０は、例えば、ＣＰＵや印刷の際に用いるプログラムやデータを記憶するメモリーなどを含む。そして、エンジン制御部４０は、給紙、搬送、トナー像形成、定着部４ｂの温度制御など、印刷エンジン部４に含まれる部材の制御を行う。
【００５２】
次に、複合機１００での設定入力の受け付けや表示に関し、操作パネル２（デバイスに相当）が設けられる。この操作パネル２内には、主制御部５の指示を受け、実際に操作パネル２を制御するパネル制御部２０が設けられる。パネル制御部２０は、例えば、ＣＰＵや各種プログラムや表示用の画像データや入力受付用データを記憶するメモリーなどを含む。そして、パネル制御部２０は、液晶表示部２１での表示制御や、タッチパネルの出力から押された座標を求めて液晶表示部２１で押されたキーの認識処理や、各種ハードキーの押下の認識等、操作パネル２に含まれる部材の制御を行う。
【００５３】
又、複合機１００には、デバイスの一種として通信部６が設けられる。通信部６は、外部のコンピューター２００等との通信を行う通信制御部８の他、各デバイスに対する電力供給のＯＮ／ＯＦＦの制御を行う電源管理部７を含む。又、通信部６は、通信部６で用いるプログラムやデータを記憶するメモリー７１や、各デバイスへの電力供給の開始や停止の間隔、タイミングを図るためのタイマー７２とクロック発生部７３を含む。又、操作検知部からの信号（検知信号）を受け、省電力モードから通常モードへの復帰条件が満たされたことを検知するための信号Ｉ／Ｆ部７４（信号受信部に相当）を含む。
【００５４】
尚、本実施形態では、外部のコンピューター２００等からのデータを受信できるように、通信部６は省電力モードでも動作させるので、通信部６に、通信機能と、各デバイスに対する電力供給のＯＮ／ＯＦＦの制御を行う機能を持たせる例を説明する。しかし、各デバイスに対する電力供給のＯＮ／ＯＦＦの制御を行う機能（電源管理機能）を分離して、別途設けても良い。
【００５５】
通信部６は、例えば、通信制御部８を含む。通信制御部８は、通信用の回路や、通信用のコネクタ等を含み、外部のコンピューター２００（例えば、パーソナルコンピューターやサーバー）やＦＡＸ装置３００とネットワーク、回線、ケーブル等を通じて実際に通信を行う。例えば、通信部６が受信したデータは、主制御部５に引き渡される。この通信部６を介した通信により、外部のコンピューター２００やＦＡＸ装置３００から印刷用のデータを受信することができ、外部のコンピューター２００やＦＡＸ装置３００に画像データを送信することができる。
【００５６】
（通常モードと省電力モード）
次に、図３、図４を用いて、実施形態に係る複合機１００での通常モードと省電力モードを説明する。図３は、電力供給系統の一例を示すブロック図である。図４は、操作検知部を説明するためのブロック図である。
【００５７】
まず、図３に示すように、複合機１００には、商用電源と接続され、各種電圧を生成し、複合機１００を構成する各部分に適切な電圧で電力を供給する電源装置９が設けられる。例えば、電源装置９は、整流回路、昇圧回路、降圧回路等を含む電力変換回路９１を複数有する。そして、電源装置９は、複合機１００の動作に要する複数種の電圧を各電力変換回路９１が生成する（例えば、モーター駆動用のＤＣ２４Ｖや各種制御部やメモリー駆動用のＤＣ５ＶやＤＣ３．３ＶやＤＣ１．８Ｖ等を生成）。
【００５８】
尚、電源装置９と商用電源との接続のＯＮ／ＯＦＦを行うため、メインスイッチ９２を設けても良い。例えば、メインスイッチ９２は、ロッカースイッチである。例えば、メインスイッチ９２は、複合機１００の側面などに設けられる。使用者は、メインスイッチ９２によって、複合機１００の主電源のＯＮ／ＯＦＦの切り替えを行える。
【００５９】
そして、図３に示すように、通信部６は、電源管理部７を含む。電源管理部７は、例えば、マイコンである。そして、電源管理部７は、電源装置９から各デバイスへの電力供給経路に設けられたスイッチＳ（例えば、ＦＥＴ等の半導体スイッチ、図５参照）の開閉を行って、各デバイスへの電力供給のＯＮ／ＯＦＦを行う。言い換えると、電源管理部７は、主制御部５、読取部１、印刷エンジン部４、操作パネル２等やその内部のＣＰＵや各種制御部といった各デバイスへの通電、遮断を切り替え、電源を管理する。尚、本実施形態の複合機１００では、電源管理のため、主電源ＯＮの間、モードを問わず、電源管理部７（通信部６）、メモリー７１、タイマー７２、クロック発生部７３、信号Ｉ／Ｆ部７４等、通信部６の一部への電力供給は続けられる。
【００６０】
そして、メインスイッチ９２のＯＮにより、複合機１００の主電源が投入されると、複合機１００のモードは、通常モードで開始される。通常モードでは、図３に実線で示すように、電源管理部７は、主制御部５、読取部１、印刷エンジン部４、操作パネル２、通信部６等の部分に電源装置９から電力を供給する。そして、通常モードの間、電源装置９は、複合機１００の状態をジョブ実行可能な状態で保つ。
【００６１】
例えば、省電力モードへの移行条件は、通常モードとなってから操作検知部（詳細は後述）に対する操作、入力が無いまま、あるいは、ジョブ実行完了から、操作検知部に対する操作、入力が無いまま、予め定められた移行時間（例えば、数分〜数十分）の経過したこととされる。言い換えると、予め定められた移行時間の待機状態の継続が、省電力モードへの移行条件とされる。又、操作パネル２の液晶表示部２１の所定の操作や節電キーの押下が、省電力モードへの移行指示が移行条件とされてもよい。
【００６２】
複合機１００内に複数の操作検知部を設けることができる。そして、通常モードでは各操作検知部の出力は、例えば、主制御部５に伝達される。主制御部５は、各操作検知部の出力に基づき、操作検知部に対する操作、入力が無いまま予め定められた移行時間が経過したか否かを認識する。そして、通常モードのとき、操作検知部により複合機１００への操作、入力を認識すると、主制御部５は、移行時間のカウントをリセットする。
【００６３】
例えば、図４に示すように、操作検知部としては、通信部６がある。通信部６の通信制御部８が外部のコンピューター２００から印刷用の画像データや印刷設定データを受信したとき、主制御部５は、複合機１００に対する操作、入力がなされたと認識する。又、例えば、操作パネル２が操作検知部として用いられる。例えば、液晶表示部２１や各種ハードキー（スタートキー２３等）が押されると、主制御部５は、操作パネル２に対する操作、入力がなされたと認識する。
【００６４】
又、印刷エンジン部４に関しては、給紙カセット３１ａ、３１ｂの挿脱を検知する挿脱検知センサー３３や、カバーの開閉を検知するカバー開閉検知センサー３６を操作検知部として用いることができる。挿脱検知センサー３３やカバー開閉検知センサー３６の出力に基づき、主制御部５は、印刷エンジン部４への操作、入力を認識する。又、読取部１に関しては、例えば、原稿搬送部１ａの上げ下げ（開閉）を検知する開閉検知センサー１５を操作検知部として用いることもできる。又、例えば、原稿搬送部１ａへの原稿載置を検知する原稿載置検知センサー１３を操作検知部として用いることもできる。原稿載置検知センサー１３や開閉検知センサー１５の出力に基づき、主制御部５は、読取部１への操作、入力を認識する。
【００６５】
各操作検知部に対する操作、入力がないまま移行時間が経過すると、主制御部５は、電源装置９に対し、省電力モードへの移行を指示する。これにより、電源装置９の電力供給モードが省電力モードとなり、省電力モードでも電力を供給する部分に必要な電圧のみを生成させる。又、主制御部５の指示を受け、電源管理部７は、複合機１００のモードを省電力モードに移行させる。このとき、電源管理部７は電源装置９から各デバイス（主制御部５、読取部１、操作パネル２、印刷エンジン部４、通信制御部８等）への電力供給を停止させる。又、電源管理部７は、通信制御部８への電力供給を停止させる。そして、外部から複合機１００へのデータ送信を認識するため、電源管理部７は、信号Ｉ／Ｆ部７４に受信機能の一部を代行させる。これらの電力供給停止により、省電力モードでは、待機中の消費電力が減る。尚、図３に破線で示すように、電源装置９は、通常モードへの復帰のため、省電力モードでも各操作検知部に対しては、電力供給を行う。
【００６６】
省電力モードとなると、コピー、スキャン、送信等の機能は利用できない。従って、使用者が複合機１００を利用するには、電源装置９の電力供給モードを省電力モードから通常モードに復帰させる必要がある。
【００６７】
通信部６に設けられる信号Ｉ／Ｆ部７４が、省電力モードから通常モードへの復帰のトリガとして、各操作検知部からの検知信号（出力）を受ける。電源管理部７は、この検知信号を、復帰条件を満たす信号と扱う。電源管理部７は、検知信号があると、各デバイス（主制御部５、読取部１、操作パネル２、印刷エンジン部４、通信制御部８等）への電力供給を予め定められた順番で再開し、複合機１００を省電力モードから通常モードに復帰させる。
【００６８】
省電力モードで、コンピューター２００等から複合機１００に向けて画像データ等を送る旨の要求（通信要求）があったとき（検知信号Ａ）、通信部６の信号Ｉ／Ｆ部７４は、その旨を電源管理部７に伝える。そして、電源管理部７は、復帰条件が満たされたと認識する。
【００６９】
又、操作パネル２の液晶表示部２１やハードキーに対する使用者のタッチ動作により、検知信号を発生し、信号Ｉ／Ｆ部７４に入力するようにしてもよい（図４における検知信号Ｂ）。又、挿脱検知センサー３３は、用紙補給や交換による取り外しと取り付けを検知すると、検知信号を発生し、信号Ｉ／Ｆ部７４に入力するようにしてもよい（図４における検知信号Ｃ）。又、カバー開閉検知センサー３６は、メンテナンスや消耗品交換や紙詰まり処理のため、筐体のカバーの操作（開閉）を検知すると、検知信号を発生し、信号Ｉ／Ｆ部７４に入力するようにしてもよい（図４における検知信号Ｄ）。
【００７０】
又、原稿トレイ１２への用紙の載置を検知する原稿載置検知センサー１３が、コピー等のため、原稿トレイ１２への原稿載置を検知すると、検知信号を発生し、信号Ｉ／Ｆ部７４に入力するようにしてもよい（図４における検知信号Ｅ）。又、コピー等のため、原稿搬送部１ａへの操作（原稿載置や上げ下げ）を検知すると、原稿搬送部１ａの上げ下げを検知する開閉検知センサー１５が、検知信号を発生し、信号Ｉ／Ｆ部７４に入力するようにしてもよい（図４における検知信号Ｆ）。
【００７１】
（各デバイスへの電源供給開始の順序と間隔の制御）
次に、図５〜図８を用いて、各デバイスへの電源供給開始の順序と間隔の制御の一例を説明する。図５は、電源管理部７による各デバイスへの電源供給開始の順序と間隔の制御を説明するためのブロック図である。図６は、各デバイスへの電源供給開始に用いるテーブルの内容の一例を示す説明図である。図７、図８は、各デバイスへの電力供給とリセット指示の一例を示すタイミングチャートである。
【００７２】
複合機１００のプログラムの内容により、各デバイスの起動順序が定められることもある。又、電源装置９の能力（例えば、電流や消費電力の許容範囲）を考慮して、各デバイスの起動順序が定められることもある。又、例えば、電力が供給されている部分（各種制御部やＣＰＵ等）から電力未供給のデバイス（各種制御部やＣＰＵ等）に信号が入らないように、各デバイスの起動順序が定められることもある。そして、本実施形態の複合機１００では、主電源投入時や省電力モードから通常モードへの復帰時、電源管理部７が、各デバイスに対し、順番に、予め定められた間隔で、電力供給を行う。
【００７３】
図５に示すように、本実施形態の複合機１００では、例えば、電源装置９から各デバイスへの電力供給ラインＰＬ１〜ＰＬ５に、それぞれスイッチＳ（図５では、スイッチＳ１〜スイッチＳ５を例示）が設けられる。尚、図５では、電源装置９から各デバイスへの電力供給ラインＰＬ１〜ＰＬ５を単線で図示している。しかし、デバイスに要する電圧の種類（例えば、モーター駆動用と制御部駆動用など）に応じて電源装置９から各デバイスへの電力供給ラインＰＬ１〜ＰＬ５は、複数本でもよい。
【００７４】
そして、電源管理部７は、各スイッチＳのＯＮ状態とＯＦＦ状態を切り替えて、各デバイスへの電力供給と停止（電源装置９との導通と非導通）を制御する。尚、以下の説明では、主制御部５への電力供給ラインＰＬ１を制御するため、電源管理部７が発する信号を、供給制御信号ＰＷ１と称する。又、操作パネル２への電力供給ラインＰＬ２を制御するため、電源管理部７が発する信号を、供給制御信号ＰＷ２と称する。又、読取部１への電力供給ラインＰＬ３を制御するため、電源管理部７が発する信号を、供給制御信号ＰＷ３と称する。又、印刷エンジン部４への電力供給ラインＰＬ４を制御するため、電源管理部７が発する信号を、供給制御信号ＰＷ４と称する。又、通信制御部８への電力供給ラインＰＬ５を制御するため、電源管理部７が発する信号を、供給制御信号ＰＷ５と称する。
【００７５】
又、電源管理部７と各デバイス（主制御部５、操作パネル２、読取部１、印刷エンジン部４、通信制御部８等）間に、リセットを指示するためのリセット信号線ＲＬ１〜ＲＬ５が設けられる。言い換えると、電源管理部７と各デバイスは、リセット信号線ＲＬ１〜ＲＬ５で接続される。そして、電源管理部７は、リセット信号線ＲＬ１〜ＲＬ５の状態を変化させ、リセットの指示を各デバイスに与えることができる。
【００７６】
尚、以下の説明では、主制御部５へのリセット指示のため電源管理部７が発する信号をリセット信号ＲＳ１と称する。又、操作パネル２へのリセット指示のため電源管理部７が発する信号をリセット信号ＲＳ２と称する。又、読取部１へのリセット指示のため電源管理部７が発する信号をリセット信号ＲＳ３と称する。又、印刷エンジン部４へのリセット指示のため電源管理部７が発する信号をリセット信号ＲＳ４と称する。又、通信制御部８へのリセット指示のため電源管理部７が発する信号をリセット信号ＲＳ５と称する。
【００７７】
そして、各デバイス（主制御部５、操作パネル２、読取部１、印刷エンジン部４、通信制御部８等）に電力供給を開始する順序と間隔を予め定めたテーブルが通信部６内に設けられたメモリー７１に記憶される。電源管理部７は、主電源投入時や省電力モードから通常モードへの復帰時、メモリー７１のテーブルを参照して、各デバイスへの電力供給を順番に行う。
【００７８】
又、テーブルには、デバイスに電力供給開始してから、次のデバイスに電力供給を開始するまでの間隔を示すデータが含まれる。そして、間隔を正確に測るため、通信部６にはタイマー７２が設けられる。タイマー７２は、コンデンサの充電に要する時間に基づき時間を計るのではなく、通信部６内に設けられるクロック発生部７３が生成する一定周期のクロック信号をカウントし時間を計る。尚、クロック発生部７３を通信部６外に設け、通信部６には外部からクロック信号が供給されてもよい。
【００７９】
ここで、図６を用いて、テーブルの一例を説明する。図６に示すテーブルには、主制御部５を１番目、通信制御部８を２番目、操作パネル２を３番目、読取部１を４番目、印刷エンジン部４を５番目とするデータが含まれる。例えば、主制御部５は、全体の制御を司るので１番目とされる。しかし、各デバイスの電力供給順序は、適宜定めることができる。
【００８０】
例えば、主電源投入時では、複合機１００の全体に電力が供給される。そして、主制御部５への電力供給時点を基点として、各デバイスの電力の供給を開始する時点が定められる。又、あるデバイスの電力供給を開始してから、次のデバイスに対して電力を供給する間隔（前の順番のデバイスから次の順番までの待ち時間）は、演算により求めることができるが、図６に示すように、テーブルに予め定めておいてもよい。
【００８１】
そして、図７は、主電源投入時など、複合機１００全体に電力供給を開始する時のタイミングチャートである。電源管理部７は、テーブルを参照し、各デバイス（主制御部５、操作パネル２、読取部１、印刷エンジン部４、通信制御部８等）の電力供給順序やデバイス間での電力を供給する間隔を認識する。
【００８２】
そして、例えば、図７に示すように、電源管理部７は、主制御部５（０の時点で供給制御信号ＰＷ１を立ち上げ）→通信制御部８（Ｔ１の時点で供給制御信号ＰＷ２を立ち上げ）→操作パネル２（Ｔ２の時点で供給制御信号ＰＷ３を立ち上げ）→読取部１（Ｔ３の時点で供給制御信号ＰＷ４を立ち上げ）→印刷エンジン部４（Ｔ４の時点で供給制御信号ＰＷ５を立ち上げ）の順に電力を供給する。又、主制御部５への電力供給開始時をゼロ（起点）として、Ｔ１、Ｔ２―Ｔ１、Ｔ３―Ｔ２、Ｔ４―Ｔ３の予め定められた間隔で、順番にデバイスへの電力供給を開始する。これにより、各デバイスに含まれる制御部等に電圧が印加される。尚、電力供給開始と停止の論理（本実施形態ではＨｉｇｈが電力供給）は、逆でもよい。
【００８３】
各デバイスに対して、リセットの指示を行う時点（リセット信号ＲＳ１〜リセット信号ＲＳ５の状態を変化させる時点）を示すデータをテーブルに含むようにしても良い。例えば、各デバイスの制御部間の通信を考慮すると、各デバイス（各デバイスの制御部）に対するリセットの指示は同時に行うことが望ましい場合もある。そこで、本実施形態では、電源管理部７は、同時に各デバイス（各デバイスの制御部）リセットを指示する（例えば、図７に示すように、Ｒ１の時点で同時にリセット信号ＲＳ１〜リセット信号ＲＳ５の立ち上げ）。これにより、各デバイスやその制御部の起動、初期化、ウォームアップが実行される。
【００８４】
一方、同時に各デバイスにリセット指示を行う例を図７に示すが、リセットの時点をデバイスごとに変えるようにしてもよい。例えば、図６では、主制御部５への電力供給開始からリセット指示を行うまでの時間をＲ１、Ｒ２、Ｒ３と差を設けることができる例を示している。この場合、デバイスごとに、リセットを行う時点や、リセットの間隔を示すデータがテーブルに含められる。
【００８５】
このように、テーブルに各デバイスに電力を供給する時点や間隔を定めるだけで、各デバイスに対し、任意の順番、任意の間隔で電力の供給を開始することができる。又、任意の時点でデバイスのリセットを行うことができる。そのため、各デバイスへの電力供給開始時や電力供給を行うか否か等を容易に設定することができる。
【００８６】
例えば、図６に示すように、省電力モードから通常モードへの復帰時、信号Ｉ／Ｆ部７４に入力される検知信号に応じて、電力供給を再開するデバイスと再開しないデバイスを定めることができる。例えば、検知信号Ａは、省電力モード中に信号Ｉ／Ｆ部７４が自機あての印刷用データやＦＡＸデータを受信したときの検知信号である。このような場合、印刷の設定内容を示すデータや画像データは、受信するデータに含まれるので、操作パネル２や読取部１を起動させなくても、受信したデータに基づき、ジョブを実行できる。
【００８７】
そこで、検知信号Ａの発生により通常モードに復帰するとき、電源管理部７は、主制御部５と、画像データ等の受信を継続させるために通信制御部８と、受信したデータに基づく印刷のために印刷エンジン部４の順に電力供給を再開する。一方、電源管理部７は、操作パネル２や読取部１に対して、電力供給を再開しない。言い換えると、電源管理部７は、操作パネル２や読取部１に対する電力供給再開をスキップする。又、図６において、電力供給を再開しないデバイスを「−」の記号で示す）。そして、テーブルには、検知信号の種類に応じ、電力供給を再開するデバイスとしないデバイスや、デバイスに電力供給を再開するタイミング（間隔）が定義される。
【００８８】
そして、図８は、検知信号Ａにより通常モードに復帰する時のタイミングチャートである。電源管理部７は、信号Ｉ／Ｆ部７４に入力された検知信号と、テーブルを参照し、各デバイス（主制御部５、操作パネル２、読取部１、印刷エンジン部４、通信制御部８等）の電力供給順序や電力供給の間隔を認識する。
【００８９】
例えば、図８に示すように、電源管理部７は、主制御部５（０の時点で供給制御信号ＰＷ１を立ち上げ）→通信制御部８（Ｔ１の時点で供給制御信号ＰＷ２を立ち上げ）→印刷エンジン部４（Ｔ５の時点で供給制御信号ＰＷ５を立ち上げ）の順に電力を供給する。一方、電源管理部７は、操作パネル２（供給制御信号ＰＷ３は立ち下げたまま）、読取部１（供給制御信号ＰＷ４は立ち上げたまま）への電力供給は停止したままで保つ。又、主制御部５への電力供給開始時をゼロ（起点）として、Ｔ１、Ｔ５―Ｔ１の予め定められた間隔で、順番にデバイスへの電力供給を開始する。
【００９０】
又、本実施形態では、電源管理部７は、通常モードへの復帰に伴い、電力供給を再開した各デバイスに対して同時にリセットを指示する（例えば、図８に示すように、Ｒ２の時点で同時にリセット信号ＲＳ１、リセット信号ＲＳ２、リセット信号ＲＳ５の立ち上げ）。これにより、各デバイスや各デバイスの制御部での初期化、立ち上げが実行される。
【００９１】
又、図６では、操作パネル２からの検知信号Ｃが発生したとき、コピーを行うか、スキャンのみを行うかの判別ができないので、とりあえず、全てのデバイスに対して電力供給を再開するように設定されたテーブルを例示している。又、図６では、印刷エンジン部４からの検知信号Ｃ、Ｄが発生したとき、印刷等を行わず、用紙残量の確認や用紙補給や印刷エンジン部４の状態を確認できれば済む場合もあるので、とりあえず、主制御部５と、印刷エンジン部４に対して電力供給を再開するように設定されたテーブルを例示している。又、図６では、読取部１からの検知信号Ｅ、Ｆが発生したとき、印刷を行わず、スキャンだけで終わる場合もあるので、主制御部５と、操作パネル２と読取部１に対して電力供給を再開するように設定されたテーブルを例示している。尚、図６のテーブルは例示に過ぎず、検知信号に応じてどの部分をどのような順序、どれくらいの間隔で順番にデバイスに電力供給を再開するかを定めることができる。又、検知信号Ｂが生じたときの電力供給再開でのタイミングチャートは、図６と同様でよく、説明、図示を省略する。又、検知信号Ｃ〜検知信号Ｆについて、考え方は、検知信号Ａの場合と同様でよい。
【００９２】
ここで、省電力モードから通常モードへの復帰したとき、一部のデバイスに対しては、電力供給が再開されない場合がある。通常モードへの復帰時、電源管理部７は、電力供給が再開されないデバイスに対しては、必要になったときに電力供給を再開してもよい。
【００９３】
このように、通常モードに復帰しても、例えば、一部のデバイス対して電力供給が再開されていない場合が生じ得る。この場合、電力供給がなされていないデバイスへの操作が操作検知部で検知されたときや、操作パネル２で電力供給がなされていないデバイスを用いる機能の設定がなされたとき、電源管理部７は、操作されたデバイスへの電力供給を再開すればよい。他のデバイスには電力供給がなされ、一部のデバイスに対してのみの電力供給の再開となり、使用者の待ち時間は抑えられる。
【００９４】
（各デバイスへの電源供給開始の制御の流れ）
次に、図９を用いて、実施形態に係る各デバイスへの電源供給開始の制御の流れの一例を説明する。図９は、各デバイスへの電源供給開始の制御の流れの一例を示すフローチャートである。
【００９５】
まず、図９のスタートは、主電源が切られているときや、省電力モードとなっていて、各デバイス（主制御部５、操作パネル２、読取部１、印刷エンジン部４、通信制御部８等）に対する電力供給が停止されている状態で、メインスイッチ９２のＯＮがなされたり、検知信号が通信部６の信号Ｉ／Ｆ部７４に入力された時点である。
【００９６】
まず、電源管理部７は、通信部６のメモリー７１に記憶されるテーブルを参照する（ステップ♯１）。そして、電源管理部７は、電力供給を行うデバイスと、電力供給を行う順番と、電力供給を行う間隔と、各デバイスに対してリセット指示を行う時点を確認し、実行すべき電力供給の内容を認識する（ステップ♯２）。
【００９７】
そして、電源管理部７は、未供給のデバイスのうち最も早い順番のデバイスへの電力供給を行う（開始する）（ステップ♯３）。次に、電源管理部７は、電力供給対象のデバイスの全てに電力供給を行ったか否かを確認する（ステップ♯４）。
【００９８】
もし、完了していなければ（ステップ♯４のＮｏ）、電源管理部７は、テーブルとタイマー７２の計時結果（計測結果）に基づき、直前のデバイスへの電力供給時点から次のデバイスに電力供給を行うまでの予め定められた間隔（時間）が経過したか否かを確認する（ステップ♯５）。そして、電源管理部７は、予め定められた間隔が経過するまで確認を続け（ステップ♯５のＮｏ→ステップ♯５）、予め定められた間隔が経過すると（ステップ♯５のＹｅｓ）、フローは、ステップ♯３に戻る。
【００９９】
一方、完了していれば（ステップ♯４のＹｅｓ）、電源管理部７は、電力供給を行っている各デバイス（主制御部５、操作パネル２、読取部１、印刷エンジン部４、通信制御部８等）に対し、テーブルに定められた時点に、リセット信号ＲＳを発する（ステップ♯６）。そして、デバイスへの電力供給開始時の制御は完了する（エンド）。
【０１００】
（各デバイスへの電源供給停止の順序と間隔の制御）
次に、図６、図１０を用いて、各デバイスへの電源供給停止の順序と間隔の制御の一例を説明する。図１０は、各デバイスへの電力供給停止の一例を示すタイミングチャートである。
【０１０１】
本実施形態の複合機１００では、通常モードから省電力モードに移行するときや、主電源の遮断があったとき、電源管理部７が、順番に、予め定められた間隔で、各デバイスの電力供給を停止する。電力供給停止では、例えば、各制御部内に設けられるメモリーへのバックアップを行うための時間を設ける必要や、好ましい各デバイスの電力供給の停止順序がある場合がある。
【０１０２】
本実施形態では、電源管理部７が、電力供給を行うときと同様に、各デバイスへの電力供給停止タイミングを制御する。図５に示すように、電源管理部７は、各デバイス（主制御部５、操作パネル２、読取部１、印刷エンジン部４、通信制御部８等）への電力供給ラインＰＬ１〜ＰＬ５に設けられた各スイッチＳ（図５では、スイッチＳ１〜スイッチＳ５を例示）を開けて電力供給を停止する（供給制御信号ＰＷ１〜供給制御信号ＰＷ５）。
【０１０３】
そして、各デバイスの電力供給を停止する順序と間隔が、通信部６内のメモリー７１が記憶するテーブルに定められる。電源管理部７は、省電力モードへの移行時等、メモリー７１のテーブルを参照し、各デバイスへの電力供給を予め定められた順番で停止させる。そして、タイマー７２は、クロック信号をカウントして時間を計り、電源管理部７は、タイマー７２の計時に基づき、電力供給を順次停止させてゆく。
【０１０４】
ここで、図６を用いて、テーブルの一例を説明する。例えば、テーブルでは、図６に示すように、各デバイスについて、電力供給を停止する順序が定められる。図６では、電力供給開始時とは反対に、印刷エンジン部４を１番目、通信制御部８を２番目、操作パネル２を３番目、通信制御部８を４番目、主制御部５を５番目に停止する例としている。各デバイスの電力供給停止順序は、適宜定めることができる。
【０１０５】
そして、図１０は、省電力モードへの移行等により、デバイスに対して電力供給を停止するときのタイミングチャートの一例を示す。図１０の例は、例えば、外部のコンピューター２００から送信された画像データに基づき印刷を行うために省電力モードから通常モードに復帰し（検知信号Ａのような場合）、通常モードで、読取部１と操作パネル２に電力供給が停止中であり、印刷ジョブ完了後、読取部１と操作パネル２に電力供給を再開することなく再び省電力モードに移行する場合を示している。
【０１０６】
例えば、図１０に示すように、電源管理部７は、印刷エンジン部４（Ｔ１０の時点で供給制御信号ＰＷ５を立ち下げ）→通信制御部８（Ｔ１３の時点で供給制御信号ＰＷ２を立ち下げ）→主制御部５（Ｔ１４の時点で供給制御信号ＰＷ１を立ち下げ）の順に電力供給を停止する。尚、通常モードへの復帰に伴い、電力供給を再開した各デバイスに対して同時にリセットを指示するため、電源管理部７は、各リセット信号ＲＳ１〜リセット信号ＲＳ５の状態を電力供給停止時の状態に変化させる。尚、図１０では、通常モードで一部のデバイスへの電力供給が停止している例を説明したが、通常モードで複合機１００全体に電力供給がなされているとき、電源管理部７は、テーブルに定められた順序及び間隔で主制御部５等への電力供給を停止してゆけばよい。
【０１０７】
（各デバイスへの電源供給停止の制御の流れ）
次に、図１１を用いて、実施形態に係る各デバイスへの電源供給停止の制御の流れの一例を説明する。図１１は、省電力モードへの移行時の各デバイスへの電源供給停止の制御の流れの一例を示すフローチャートである。
【０１０８】
まず、図１１のスタートは、主電源投入や省電力モードからの復帰により、通常モードとなり、各デバイス（主制御部５、操作パネル２、読取部１、印刷エンジン部４、通信制御部８等）の全て又は一部に対する電力供給がなされている状態で、省電力モードへの移行条件が満たされた時点である。
【０１０９】
まず、電源管理部７は、通信部６のメモリー７１に記憶されるテーブルを参照する（ステップ♯１１）。そして、電源管理部７は、電力供給の停止を行う順番と、電力供給停止を行う間隔を確認し、実行すべき電力供給停止処理の内容を認識する（ステップ♯１２）。そして、電源管理部７は、電力供給未停止のデバイスのうち最も早い順番のデバイスへの電力供給を停止する（ステップ♯１３）。そして、電源管理部７は、全てのデバイスの全ての電力供給停止を行ったか否かを確認する（ステップ♯１４）。
【０１１０】
もし、完了していなければ（ステップ♯１４のＮｏ）、電源管理部７は、テーブルとタイマー７２の計時結果（計測結果）に基づき、直前のデバイスへの電力供給停止から次のデバイスに電力供給停止までの予め定められた間隔（時間）が経過したか否かを確認する（ステップ♯１５）。そして、電源管理部７は、予め定められた間隔が経過するまで確認を続け（ステップ♯１５のＮｏ→ステップ♯１５）、予め定められた間隔が経過すると（ステップ♯１５のＹｅｓ）、フローは、ステップ♯１３に戻る。
【０１１１】
一方、完了していれば（ステップ♯１４のＹｅｓ）、電源管理部７は、電力供給を行っている各デバイス（主制御部５、操作パネル２、読取部１、印刷エンジン部４、通信制御部８等）に向けてのリセット信号ＲＳの状態を変化させ、省電力モードから通常モードへの復帰に備える（ステップ♯１６）。そして、デバイスへの電力供給停止処理は完了する（エンド）。
【０１１２】
（テーブルの変更）
次に、図１２を用いて、本実施形態でのテーブルの変更の一例を説明する。図１２は、テーブルの変更の流れを説明するためのフローチャートである。
【０１１３】
上述のように、本実施形態の通信部６のメモリー７１は、テーブルを記憶する。そして、テーブルは、電力供給の順序や間隔、電力供給停止を行う順序や間隔を示すデータを含む。又、テーブルは、通常モードへの復帰時、電力供給を行うデバイスと行わないデバイスの区別を示すデータを含む。ここで、記憶部５２に記憶されるプログラムの変更や使用者の便宜等の観点から、テーブルの内容を更新、変更したい場合がある。そこで、本実施形態の複合機１００では、所望の電力供給や電力供給停止の処理の手順とできるように、テーブルの内容を変更することができる。これにより、例えば、通常モードへの復帰時、検知信号に応じて、電力供給を再開するデバイスと再開しないデバイスを使用者の意志に応じて設定することができる。
【０１１４】
複合機１００には操作パネル２が設けられる。そこで、操作パネル２の液晶表示部２１への入力等により、テーブルの内容の変更が受け付けられるようにしてもよい。又、外部のコンピューター２００から変更後のテーブルを示すデータを通信部６に送信し、通信部６が受信したデータに基づき、テーブルの変更がなされてもよい。又、例えば、ＵＳＢメモリーのような外部メモリーを接続する接続部を設け、外部メモリーに変更後のテーブルを示すデータを格納しておき、接続部に接続された外部メモリーから変更後のテーブルを示すデータを複合機１００に入力できるようにしてもよい。
【０１１５】
そして、図１２に基づき、テーブルの変更の流れを説明する。図１２のスタートは、テーブルの変更処理を行おうとする時点である。テーブルの変更処理を行うとき、操作パネル２や通信部６などの設定入力部に、変更後のテーブルを示すデータが入力される（ステップ♯２１）。
【０１１６】
次に、変更後のテーブルを示すデータは、通信部６に送られる（ステップ♯２２）。そして、通信部６のメモリー７１は、変更後のテーブルを示すデータに基づき、元のテーブルを更新して、新たなテーブルを記憶する（ステップ♯２３）。これにより、テーブルの更新処理が完了する（エンド）。
【０１１７】
このようにして、本実施形態の画像形成装置（例えば、複合機１００）は、画像形成装置の一部を構成し、処理を実行する複数のデバイス（主制御部５、読取部１、印刷エンジン部４、操作パネル２等やその内部のＣＰＵや各種制御部）と、時間を計るタイマー７２と、各デバイスへの電力供給と停止を制御し、各デバイスへの省電力モード移行条件が満たされると各デバイスへの電力供給を停止し、解除条件が満たされると各デバイスへの電力供給を行う電源管理部７と、解除条件が満たされたことを示す検知信号を受信する信号受信部（信号Ｉ／Ｆ部７４）と、を含み、電源管理部７は、解除条件が満たされると、タイマー７２の計時に基づき予め定められた間隔、かつ、予め定められた順序で、各デバイスの電力供給を行い、省電力モード移行条件が満たされると、タイマー７２の計時に基づき予め定められた間隔、かつ、予め定められた順序で、各デバイスへの電力供給を停止する。
【０１１８】
これにより、正確な順序で各デバイス（主制御部５、読取部１、印刷エンジン部４、操作パネル２等やその内部のＣＰＵや各種制御部）への電力供給の開始や停止を行うことができる。また、タイマー７２の計時結果に基づいて処理がなされるので、予め定められた間隔で時間的なブレがなく、順番に電力供給の開始、停止がなされる。そして、電源回路の出力上昇までの時間のばらつきやコンデンサの容量のばらつきに依存せず、電力供給を開始する間隔にマージンを持たせる必要がないので、電力供給停止中の各デバイスに対して、待ち時間無しに迅速に電力供給を再開することができる。尚、「予め定められた間隔」は、あるデバイスへの電力供給開始を起点として、マージンを持たせず、各デバイスの電力供給開始で問題が生じない最短の時間間隔とすることができる。
【０１１９】
又、電源管理部７から各デバイス（主制御部５、読取部１、印刷エンジン部４、操作パネル２等やその内部のＣＰＵや各種制御部）へのリセット信号（リセット信号ＲＳ１〜リセット信号ＲＳ５）を伝達するためのリセット信号線ＲＬ１〜ＲＬ５が設けられ、電源管理部７は、各デバイスへの電力供給開始に伴い、タイマー７２の計時に基づき予め定められた間隔、かつ、予め定められた順序で各デバイスにリセットを行わせる。これにより、コンデンサを用いたリセットＩＣ（リセット回路）ではなく、タイマー７２の計時に基づき各デバイスのリセットかなされるので、コンデンサの容量のばらつきを考慮してリセットの指示を与える間隔にマージンを持たせる必要が無い。従って、待ち時間を設けず、最短の時間で、各デバイスにリセットの指示を与え、起動（初期化）や通信開始を開始させることができる。尚、「予め定められた間隔」は、各デバイスの電力供給開始との兼ね合いを考慮しつつ、マージンを持たせず、例えば、あるデバイスへの電力供給開始や、あるデバイスへのリセット指示を起点として、リセット指示を与えても問題が生じない最短の時間間隔とすることができる。
【０１２０】
又、本実施形態に係る画像形成装置（例えば、複合機１００）は、電力供給を行うときの間隔と順序、及び、電力供給を停止するときの間隔と順序を示すデータを含むテーブルを記憶するメモリー７１を有し、電源管理部７は、解除条件が満たされると、テーブルに基づき、順番に各デバイス（主制御部５、読取部１、印刷エンジン部４、操作パネル２等やその内部のＣＰＵや各種制御部）の電力供給を行い、省電力モード移行条件が満たされると、テーブルに基づき、順番に各デバイスへの電力供給を停止する。これにより、テーブルを用いて、各デバイスに対する電力供給開始や停止の順番や間隔を設定することができる。従って、簡易、柔軟に、各デバイスに対する電力供給開始と停止のシーケンスを定めることができる。
【０１２１】
又、テーブルは、各デバイス（主制御部５、読取部１、印刷エンジン部４、操作パネル２等やその内部のＣＰＵや各種制御部）のリセットを行う間隔及び順番を示すデータを含み、電源管理部７は、テーブルに基づき、各デバイスのリセットを行う。これにより、テーブルを用いて、各デバイスに対する電力供給開始に伴うリセット指示の順番や間隔を設定することができる。従って、簡易、柔軟に、電力供給開始に伴う各デバイスのリセットや初期化のシーケンスを定めることができる。
【０１２２】
又、本実施形態に係る画像形成装置（例えば、複合機１００）は、テーブルを設定するための設定入力部（例えば、操作パネル２や通信部６）を含み、メモリー７１は、設定入力部によって設定されたテーブルを記憶する。これにより、各デバイス（主制御部５、読取部１、印刷エンジン部４、操作パネル２等やその内部のＣＰＵや各種制御部）に対する電力供給開始や停止の順番や間隔など、各デバイスへの電力供給や停止におけるシーケンスの設定変更や最適化を、所望する時に行うことができる。従って、各デバイスへの電力供給や停止におけるシーケンスの設定での柔軟性、自由度を高めることができる。
【０１２３】
又、デバイス（主制御部５、読取部１、印刷エンジン部４、操作パネル２等やその内部のＣＰＵや各種制御部）は、画像データを処理する画像処理部５３、原稿を読み取る読取部１、印刷を行う印刷エンジン部４のうちいずれか１つ、又は、複数を含む。これにより、画像形成装置を構成する各部分の起動に要する時間の最短化を図ることができる。又、好適、正確な順序、間隔で各部分に対する電力供給が停止させることができ、問題なく画像形成装置を低消費電力の状態に移行させることができる。
【０１２４】
以上、本発明の実施形態について説明したが、本発明の範囲はこれに限定されるものではなく、発明の主旨を逸脱しない範囲で種々の変更を加えて実施することができる。
【０１２５】
例えば、上記の説明では、デバイスとして、主制御部、操作パネル、読取部、印刷エンジン部、通信制御部等を例に挙げたが、デバイスはこれらに限られない。例えば、後処理装置等のオプション装置がデバイスとして扱われてもよい。又、デバイスは、１つのチップ、回路、基板であってもよい。
【０１２６】
又、上記の説明では、例示したデバイス単位で電力供給のＯＮ／ＯＦＦを行う例を説明したが、デバイスに対し複数種の電圧が供給される場合、電圧の種類を１つの単位として、１つのデバイスを複数段階に分けて、順番に、予め定められた間隔で、電力供給と供給停止を制御しても良い。
【産業上の利用可能性】
【０１２７】
本発明は、電力供給が個別に制御される複数のデバイスを含む画像形成装置に利用可能である。
【符号の説明】
【０１２８】
１００  複合機（画像形成装置）          １      読取部（デバイス）
２      操作パネル（デバイス、設定入力部）
４      印刷エンジン部（デバイス）      ５      主制御部（デバイス）
５３    画像処理部                      ６      通信部（設定入力部）
７      電源管理部                      ７１    メモリー
７２    タイマー                        ７４    信号Ｉ／Ｆ部（信号受信部）
８      通信制御部（デバイス）          ＲＬ１  リセット信号線
ＲＬ２  リセット信号線                  ＲＬ３  リセット信号線
ＲＬ４  リセット信号線                  ＲＬ５  リセット信号線
【図１】
2015140003.tif 000003
【図２】
2015140003.tif 000004
【図３】
2015140003.tif 000005
【図４】
2015140003.tif 000006
【図５】
2015140003.tif 000007
【図６】
2015140003.tif 000008
【図７】
2015140003.tif 000009
【図８】
2015140003.tif 000010
【図９】
2015140003.tif 000011
【図１０】
2015140003.tif 000012
【図１１】
2015140003.tif 000013
【図１２】
2015140003.tif 000014